(57)【要約】【課題】プロジェクターをあおり投写したときに生じる台形歪を補正する時に、補正後の投写画像を投写面の中心位置に合わせることができるプロジェクター、およびプロジェクターの制御方法を提供する。【解決手段】光変調装置１２と、画像投写手段１０と、あおり投写を行う場合に生じる台形歪を補正するために、光変調装置に形成させる画像を縮小する台形歪補正手段１５とを備えたプロジェクター１において、台形歪補正手段１５は、画像をあおり方向と平行な方向に縮小させる画像縮小手段１５ａと、画像縮小手段１５ａによって縮小された投写画像Ｇａの中心位置と、光変調装置１２の画素領域１２ａの中心位置とが重畳されるように配置する画像移動手段１５ｂとを備える。【選択図】図１
2013085159.tif 000002
【特許請求の範囲】
【請求項１】
光源から射出された光を画像情報に応じて変調して画素領域に画像を形成する光変調装置と、
前記画像を投写面に投写画像として投写する画像投写手段と、
あおり投写を行う場合に前記投写画像に生じる台形歪を補正するために、前記画像を補正する台形歪補正手段と、
を有するプロジェクターであって、
前記台形歪補正手段は、
前記あおり投写により、あおり方向に拡大された前記投写画像を補正するために、前記画像を前記あおり方向と平行な方向に縮小する画像縮小手段と、
前記縮小された画像の中心位置と、前記画素領域の中心位置とが重畳されるように配置する画像移動手段と、
を備えることを特徴とするプロジェクター。
【請求項２】
請求項１に記載のプロジェクターであって、
前記台形歪補正手段は、前記画像の中央に所定のマーカー画像を形成することを特徴とするプロジェクター。
【請求項３】
光源から射出された光を画像情報に応じて変調して画素領域に画像を形成する光変調装置と、
前記画像を投写面に投写画像として投写する画像投写手段と、
あおり投写を行う場合の前記投写画像に生じる台形歪を補正するために、前記画像を補正する台形歪補正手段と、
を備えたプロジェクターの制御方法であって、
前記台形歪の補正量を取得する補正量取得ステップと、
前記補正量に基づいて、前記台形歪を補正するために、前記画像を縮小する画像縮小ステップと、
前記縮小された画像の中心位置と、前記画素領域の中心位置とが重畳されるように配置する画像移動ステップと、
を有することを特徴とするプロジェクターの制御方法。
【発明の詳細な説明】
【技術分野】
【０００１】
本発明は、画像を投写するプロジェクター、及びプロジェクターの制御方法に関する。
【背景技術】
【０００２】
多数の画素がマトリックス状に形成された光変調装置によって画像を形成し、この画像をスクリーン等に投写するプロジェクターにおいて、スクリーンに対してプロジェクターを傾けた状態で投写（あおり投写）した場合に生じる投写画像の台形歪を補正可能なプロジェクターが知られている（例えば、特許文献１）。このようなプロジェクターでは、光変調装置で画像を形成する際に、投写画像の台形歪を相殺するように補正した画像を形成することによって、投写画像を正規の形状（矩形）で表示することが可能となっている。
【０００３】
例えば、斜め上方のスクリーンに対してあおり投写を行った場合の投写画像は、上底が下底よりも長い台形状になってしまうため、光変調装置で画像を形成する際には、上側ほど多くの画素を間引いて、上底が下底よりも短い台形状の画像を形成することにより、投写画像を矩形に補正することができる。また、台形状の画像形成時に水平画素ラインを間引き、画像の高さを縮小することで、補正後の投写画像の縦横比を維持することができる（以下、この補正を台形歪補正と言う。）。
【０００４】
このような台形歪補正においては、画像高さを縮小する際の基準辺（位置が変化しない辺）が画像の上端か、下端かによって、投写時の投写画像位置が変わる。画像上端が基準辺の場合、投写画像は上寄りに投写され、画像下端が基準辺の場合、投写画像は下寄りに投写される。このため、台形歪補正後に投写画像がスクリーンに収まるよう位置を調整する必要があり、調整量によっては再度台形歪補正をする必要があった。
【０００５】
特許文献１には、台形歪補正における基準辺を上端または下端のいずれかに選択可能としたプロジェクターが開示されている。このプロジェクターによれば、投写位置が固定される基準辺を台形歪補正前に予め選択できるので、投写画像の基準辺が台形歪補正によって移動してしまうのを防止することができる。
【先行技術文献】
【特許文献】
【０００６】
【特許文献１】特開２００６−８１０７８号公報
【発明の概要】
【発明が解決しようとする課題】
【０００７】
しかしながら、特許文献１のプロジェクターでは画像の上端または下端を基準辺として選択できるものの、台形歪補正後の投写画像がスクリーンに対し、上寄り、または下寄りになってしまう問題は解消されなかった。このため、投写画像をスクリーン中央に配置したいという場合、台形歪補正後にさらに投写画像の位置調整をしなければならないという問題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係るプロジェクターは、光源から射出された光を画像情報に応じて変調して画素領域に画像を形成する光変調装置と、前記画像を投写面に投写画像として投写する画像投写手段と、あおり投写を行う場合に前記投写画像に生じる台形歪を補正するために、前記画像を補正する台形歪補正手段と、を有するプロジェクターであって、前記台形歪補正手段は、前記あおり投写により、あおり方向に拡大された前記投写画像を補正するために、前記画像を前記あおり方向と平行な方向に縮小する画像縮小手段と、前記縮小された画像の中心位置と、前記画素領域の中心位置とが重畳されるように配置する画像移動手段と、を備えることを特徴とする。
【００１０】
本適用例によれば、台形歪補正後の画像の中心位置と、光変調装置の画素領域の中心位置とが重畳されるように配置するので、台形歪補正前と補正後で投写画像の中心位置が変わらない。つまり、台形歪補正前に投写画像が投写面の中心位置に投写されるようにプロジェクターの投写位置を調整しておけば、台形歪補正後も投写画像の中心位置がずれないので、台形歪補正後にプロジェクターの投写位置を再度調整する手間を削減することが可能となる。
【００１１】
［適用例２］上記適用例に記載のプロジェクターにおいて、前記台形歪補正手段は、前記画像の中央に所定のマーカー画像を形成することを特徴とする。
【００１２】
本適用例によれば、画像の中央にマーカー画像が形成されているので、台形歪補正を行う際に、投写画像の中央にマーカー画像が投写され、投写面の中央に投写画像が投写されるようプロジェクターの投写位置を容易に調整することが可能となる。
【００１３】
［適用例３］本適用例に係るプロジェクターの制御方法は、光源から射出された光を画像情報に応じて変調して画素領域に画像を形成する光変調装置と、前記画像を投写面に投写画像として投写する画像投写手段と、あおり投写を行う場合の前記投写画像に生じる台形歪を補正するために、前記画像を補正する台形歪補正手段と、を備えたプロジェクターの制御方法であって、前記台形歪の補正量を取得する補正量取得ステップと、前記補正量に基づいて、前記台形歪を補正するために、前記画像を縮小する画像縮小ステップと、前記縮小された画像の中心位置と、前記画素領域の中心位置とが重畳されるように配置する画像移動ステップと、を有することを特徴とする。
【００１４】
本適用例によれば、台形歪補正後の画像の中心位置と、光変調装置の画素領域の中心位置とが重畳されるように配置するので、台形歪補正前と補正後で投写画像の中心位置が変わらない。つまり、台形歪補正前に投写画像が投写面の中心位置に投写されるようにプロジェクターの投写位置を調整しておけば、台形歪補正後も投写画像の中心位置がずれないので、台形歪補正後にプロジェクターの投写位置を再度調整する手間を削減することが可能となる。
【図面の簡単な説明】
【００１５】
【図１】プロジェクターの回路構成を示すブロック図。
【図２】液晶ライトバルブを光入射面側から見た正面図。
【図３】台形歪を説明するための図であり、（ａ）は、液晶ライトバルブを光入射面側から見た正面図、（ｂ）は、プロジェクターが水平方向に投写する様子を示す側面図、（ｃ）は、スクリーンの投写画像を示す正面図、（ｄ）は、プロジェクターをあおり投写する様子を示す側面図、（ｅ）は、スクリーンの投写画像を示す正面図。
【図４】台形歪補正を説明するための説明図であり、（ａ）は、液晶ライトバルブを光入射面側から見た正面図、（ｂ）は、スクリーンの投写画像を示す正面図。
【図５】プロジェクターがあおり投写中に台形歪補正操作を検出したときの動作を示すフローチャート。
【発明を実施するための形態】
【００１６】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１７】
（第１実施形態）
図１は、本実施形態のプロジェクター１の回路構成を示すブロック図である。
図１に示すように、プロジェクター１は、画像投写手段１０、制御手段２０、記憶手段２１、光源制御手段２５、入力操作手段２３、画像信号入力手段１８、画像信号処理手段１７、ＯＳＤ処理手段１６、台形歪補正手段１５、電源端子３０、電源部３１等で構成されており、これらは図示しないプロジェクター１の筐体内部、および外装部に備えられている。
【００１８】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、画像情報に応じて液晶ライトバルブ１２Ｒ，１２Ｇ，１２Ｂで変調し、投写レンズ１３から投写することによって、スクリーンＳＣ等の投写面に投写画像を表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれの色光成分に対応する液晶ライトバルブ１２Ｒ，１２Ｇ，１２Ｂに入射する。
【００２０】
図２は、液晶ライトバルブ１２Ｒ，１２Ｇ，１２Ｂを光入射面側から見た正面図である。液晶ライトバルブ１２，１２Ｇ，１２Ｂは、一対の透明基板間に液晶が封入された液晶パネル等によって構成される。図２に示すように、液晶ライトバルブ１２Ｒ，１２Ｇ，１２Ｂの各透明基板は、矩形の領域（画素領域１２ａ）内において、複数の微小領域（画素１２ｐ）毎に、液晶に対する駆動電圧を印加可能な透明電極（画素電極）が、マトリックス状に形成されている。
【００２１】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素１２ｐ毎に合成されてカラーの画像光となった後、投写レンズ１３によってスクリーンＳＣ等に拡大投写され投写画像となる。
【００２２】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２３】
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２４】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は時間を計時するタイマー２０ａを備える。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２６】
入力操作手段２３は、ユーザーがプロジェクター１に対して各種指示を行うための複数の操作キーを筐体の外装部に備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー、台形歪補正を行うための台形歪補正キー等がある。
【００２７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００２８】
光源制御手段２５は、制御手段２０の指示に基づいて、光源１１に対する電力の供給と停止とを制御し、光源１１の点灯、及び消灯を切り替える。
【００２９】
画像信号入力手段１８は、上述したように複数の画像入力端子を備えており、各画像入力端子より、ビデオ再生装置やパーソナルコンピューター等、外部機器から、図示しないケーブルなどを介して画像信号（画像情報ともいう）が入力される。
【００３０】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３２】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００３３】
台形歪補正手段１５は、スクリーンＳＣに対してプロジェクター１を傾けた状態で画像を投写する、所謂あおり投写をする場合に、プロジェクターの傾斜方向であるあおり方向に向けて投写画像が拡大してしまう歪（台形歪）を抑制するために、入力される画像情報としての画像データの補正（台形歪補正）を行う。
入力操作手段２３から入力される台形歪補正指示の情報に基づいて、制御手段２０は、台形歪補正手段１５に対して台形歪補正の実施を指示し、台形歪補正手段１５は台形歪補正を実施する。なお、台形歪補正手段１５は、画像縮小手段１５ａと、画像移動手段１５ｂとを含む。
【００３４】
台形歪補正とは、画像データから画素値の間引きを行って、あおり方向に向かうほど投写画像を縮小させるものであり、台形歪補正手段１５は、補正後の画像データを液晶駆動手段１４に出力する。なお、台形歪補正を行わない場合には、ＯＳＤ処理手段１６から出力される画像データが、そのまま液晶駆動手段１４に出力される。
液晶駆動手段１４が、入力される画像データ、即ち画素１２ｐ毎の画素値に従って液晶ライトバルブ１２Ｒ，１２Ｇ，１２Ｂを駆動すると、画像データに応じた投写画像がスクリーンＳＣに投写される。
【００３５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３６】
次に、本実施形態の台形歪補正について、図３、および図４を用いて説明する。
図３は、台形歪を説明するための説明図であり、画像データに対して台形歪補正を施していない状態を示す図である。ここで、図３（ａ）は、液晶ライトバルブ１２Ｒ、１２Ｇ、１２Ｂを光入射面側から見た正面図であり、図３（ｂ）は、プロジェクター１が水平方向に投写する様子を示す側面図、図３（ｃ）は、そのときにスクリーンＳＣに表示される投写画像を示す正面図である。また、図３（ｄ）は、プロジェクター１を上方に傾けた状態であおり投写する様子を示す側面図であり、図３（ｅ）は、そのときにスクリーンＳＣに表示される投写画像を示す正面図である。
【００３７】
なお、図３（ａ）において、液晶ライトバルブ１２Ｒ，１２Ｇ，１２Ｂに向かって左右方向（水平方向の左右）を±ｘ方向、上下方向（垂直方向の上下）を±ｙ方向とし、図３（ｃ）および（ｅ）において、スクリーンＳＣに向かって左右方向（水平方向の左右）を±Ｘ方向、上下方向（垂直方向の上下）を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００３８】
図４は、本実施形態の台形歪補正を説明するための説明図であり、図４（ａ）は、液晶ライトバルブ１２Ｒ，１２Ｇ，１２Ｂを光入射面側から見た正面図、図４（ｂ）は、あおり投写を行う場合にスクリーンＳＣに表示される投写画像を示す正面図である。
【００３９】
また、図３、及び図４において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００４０】
図３（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。
ここで、図３（ｂ），（ｃ）に示すように、プロジェクター１が水平に設置され、スクリーンＳＣに対して傾きのない水平方向に投写を行う場合には、スクリーンＳＣに表示される投写画像Ｇａ（入力画像Ｇｉ）は、画素領域１２ａと同じ矩形状となる。
【００４１】
一方、図３（ｄ），（ｅ）に示すように、プロジェクター１をスクリーンＳＣに対して傾けて設置し、上方（＋Ｙ方向）に向けてあおり投写を行う場合には、スクリーンＳＣに表示される投写画像Ｇａは、あおり方向（＋Ｙ方向）に向かうほど、±Ｘ方向及び＋Ｙ方向に拡大されて台形状に歪む。本実施形態では、このように＋Ｙ方向（垂直方向）のあおり投写を行った場合の台形歪補正について記載する。
【００４２】
台形歪補正手段１５の画像縮小手段１５ａは、ＯＳＤ処理手段１６から入力される画像データから画素値の間引きを行い、補正を行わない場合に比べて、投写画像Ｇａがあおり方向（＋Ｙ方向）に向かうほど縮小するような補正を施す。
【００４３】
具体的には、図４（ａ）に示すように、液晶ライトバルブ１２の画素領域１２ａに、補正を行わない投写画像Ｇａと反対向きの台形形状、即ちあおり方向（＋ｙ方向）に向かうほど横幅（±ｘ方向の幅）が縮小する形状の画像形成領域１２ｉを設定する。
さらに、画像データから、あおり投写による拡大の程度が高い位置ほど多くの画素値を間引くことにより、この画像形成領域１２ｉ内に入力画像Ｇｉを形成する。
また、補正後の投写画像Ｇａのアスペクト比が、補正を行わない投写画像Ｇａと同じになるように画像形成領域１２ｉを垂直方向（±ｙ方向）に縮小し、縮小された投写画像Ｇａの中心位置が、画素領域１２ａの垂直方向（±ｙ方向）の中心位置に重畳されるように配置する。
【００４４】
次に画像移動手段１５ｂが、領域１２ｎにおいて、＋ｙ方向の空き領域幅ＳｐＡ１と、−ｙ方向の空き領域幅ＳｐＡ２と、が同じになるように、画像形成領域１２ｉを画素領域１２ａに配置する。
この結果、図４（ｂ）に示すように、補正後の投写画像Ｇａの画像形成領域Ｇｉは投写画像Ｇａの垂直方向（±Ｙ方向）の中心位置に配置され、投写画像Ｇａにおいて、領域Ｇｎの＋Ｙ方向の空き領域幅ＳｐＧ１と、−Ｙ方向の空き領域幅ＳｐＧ２と、が同じになる。
【００４５】
また、台形歪補正手段１５は、画像形成領域１２ｉの外側の領域１２ｎに含まれる各画素１２ｐの光透過率が最小となるように画像データを補正する。この結果、図４（ｂ）に示すように、あおり投写による入力画像Ｇｉのゆがみが補正されるとともに、領域１２ｎに対応する投写画像Ｇａ内の領域Ｇｎには光がほとんど照射されないことから、入力画像Ｇｉは、図３（ｃ）の入力画像Ｇｉと同様に矩形状でスクリーンＳＣに表示される。なお、画素値の間引きに伴う階調情報の欠落を補うために、間引きの対象となる画素に近接する画素の画素値を、間引かれる画素値に応じて補正することが望ましい。
また、マーカー画像ＭＫ１は、台形歪補正後の投写画像Ｇａの中心位置を示すものであり、投写画像Ｇａに重畳して投写される。
【００４６】
次に、本実施形態のプロジェクター１の動作を図５のフローチャートを用いて説明する。図５はプロジェクター１があおり投写中に台形歪補正操作を検出したときの動作を示すフローチャートである。
【００４７】
図５に示すように、プロジェクター１が入力操作手段２３の入力操作により台形歪補正操作を検出すると（ステップＳ１０１）、ステップＳ１０２に遷移する。
【００４８】
ステップＳ１０２において制御手段２０は、検出した台形歪補正操作に基づく台形歪の補正量を取得し、ステップＳ１０３に遷移する。本ステップが補正量取得ステップに相当する。
【００４９】
ステップＳ１０３において画像縮小手段１５ａは、ステップＳ１０２において取得した補正量に基づき、ＯＳＤ処理手段１６から入力される画像データをあおり方向と平行な方向（±ｙ方向）に縮小するように台形補正処理し、ステップＳ１０４に遷移する。本ステップが画像縮小ステップに相当する。
【００５０】
ステップＳ１０４において画像移動手段１５ｂは、液晶駆動手段１４により、ステップＳ１０３において台形補正処理した画像データ（画像形成領域１２ｉ）の中心位置を表示領域（液晶ライトバルブ１２の画素領域１２ａ）の中心位置に位置するよう配置し、ステップＳ１０５に遷移する。本ステップが画像移動ステップに相当する。
【００５１】
ステップＳ１０５において台形歪補正手段１５は、表示領域（液晶ライトバルブ１２の画素領域１２ａ）の中央にマーカーＭＫ１（図４（ａ）参照）を重畳し、ステップＳ１０６に遷移する。
【００５２】
ステップＳ１０６において制御手段２０は、タイマー２０ａによる計時を開始し、ステップＳ１０７に遷移する。
【００５３】
ステップＳ１０７において制御手段２０は、入力操作手段２３より入力操作を受け付けたか否かを調べる。入力操作手段２３より入力操作を受け付けた場合（ステップＳ１０７：Ｙ）、ステップＳ１１０に遷移する。入力操作手段２３より入力操作を受け付けていない場合（ステップＳ１０７：Ｎ）、ステップＳ１０８に遷移する。
【００５４】
ステップＳ１０８において制御手段２０は、タイマー２０ａによる計時が所定の時間Ｔ１（例えば５秒）を経過したか否かを調べる。タイマー２０ａが時間Ｔ１を経過した場合（ステップＳ１０８：Ｙ）、ステップＳ１０９に遷移する。タイマー２０ａが時間Ｔ１を経過していない場合（ステップＳ１０８：Ｎ）、ステップＳ１０７に遷移する。
【００５５】
ステップＳ１０９において台形歪補正手段１５は、表示領域よりマーカーＭＫ１を消去し、ステップＳ１１３に遷移する。
【００５６】
ステップＳ１１０において制御手段２０は、ステップＳ１０７において受け付けた入力操作が台形歪補正操作か否かを調べる。受け付けた入力操作が台形歪補正操作の場合（ステップＳ１１０：Ｙ）、ステップＳ１０２に遷移する。受け付けた入力操作が台形歪補正操作ではない場合（ステップＳ１１０：Ｎ）、ステップＳ１１１に遷移する。
【００５７】
ステップＳ１１１において台形歪補正手段１５は、表示領域よりマーカーＭＫ１を消去し、ステップＳ１１２に遷移する。
【００５８】
ステップＳ１１２において制御手段２０は、ステップＳ１０７において受け付けた入力操作に基づく処理を実行し、ステップＳ１１３に遷移する。
【００５９】
ステップＳ１１３において、本動作フローを終了する。
【００６０】
以上、説明したように、本実施形態のプロジェクター１によれば、台形歪補正後の画像（縮小された投写画像Ｇａ）と、光変調装置における画素領域１２ａの中心位置とが重畳されるように配置するので、台形歪補正前と補正後で投写画像Ｇａの中心位置が変わらない。つまり、台形歪補正前に投写画像ＧａがスクリーンＳＣの中心位置に投写されるようにプロジェクター１の投写位置を調整しておけば、台形歪補正後も投写画像Ｇａの中心位置がずれないので、台形歪補正後にプロジェクター１の投写位置を再度調整する手間を削減することが可能となる。
また、画像の中央にマーカーＭＫ１形成されているので、台形歪補正を行う際に、投写画像Ｇａの中央にマーカーＭＫ１が投写され、投写面の中央に投写画像Ｇａが投写されるようプロジェクター１の投写位置を容易に調整することが可能となる。
【００６１】
また、上記実施形態は、以下のように変更してもよい。
（変形例１）
上述した実施形態ではプロジェクター１を垂直方向（＋Ｙ方向）に傾けて設置して台形歪補正を実行するものとしたが、他の方向（−Ｙ方向、±Ｘ方向（水平方向））に傾けて設置して台形歪補正を行うものとしてもよい。
【００６２】
（変形例２）
上述した実施形態では、手動操作により台形歪補正操作を実行するが、加速度センサーなどを用いた角度検出手段を備え、検出した角度に応じて自動的に台形歪補正を実行するようにしてもよい。
【符号の説明】
【００６３】
１…プロジェクター、１０…画像投写手段、１１…光源、１２，１２Ｒ，１２Ｇ，１２Ｂ…液晶ライトバルブ、１３…投写レンズ、１４…液晶駆動手段、１５…台形歪補正手段、１５ａ…画像縮小手段、１５ｂ…画像移動手段、１６…ＯＳＤ処理手段、１７…画像信号処理手段、１８…画像信号入力手段、２０…制御手段、２０ａ…タイマー、２１…記憶手段、２３…入力操作手段、２５…光源制御手段、３０…電源端子、３１…電源部。
【図１】
2013085159.tif 000003
【図２】
2013085159.tif 000004
【図３】
2013085159.tif 000005
【図４】
2013085159.tif 000006
【図５】
2013085159.tif 000007